(57)【要約】【課題】プロジェクター動作中に筐体内部の温度が所定の最高温度を超える事象が発生したことをユーザーに知らせる。【解決手段】制御手段２０は、温度計測点の温度を計測し（ステップＳ２０２）、所定の最高温度２１０を超えていた場合（ステップＳ２０５：Ｙ）、最高温度更新フラグをセット（ステップＳ２０６）する。最高温度更新フラグがセットされている場合、電源オフ時に報知メッセージＭ１を投写する。【選択図】図３
2014119473.tif 000002
【特許請求の範囲】
【請求項１】
光源から射出された光を画像情報に応じて変調して投写面に投写する画像投写手段と、これらを収容する筐体を有するプロジェクターであって、
前記筐体の内部の温度計測点の温度を計測する温度計測手段と、前記温度計測点において計測された所定の最高温度を記憶する記憶手段と、当該プロジェクターの動作を制御する制御手段と、を備え、
前記制御手段は、当該プロジェクターが動作中に、前記温度計測点において前記温度が前記最高温度を超えた場合に使用者に報知する、
ことを特徴とする、プロジェクター。
【請求項２】
請求項１に記載のプロジェクターにおいて、
前記最高温度は、当該プロジェクターが最後に動作したときの前記温度の最高値、であることを特徴とする、プロジェクター。
【請求項３】
請求項１に記載のプロジェクターにおいて、
前記最高温度は、当該プロジェクターの累積動作における前記温度の最高値、であることを特徴とする、プロジェクター。
【請求項４】
請求項１に記載のプロジェクターにおいて、
前記最高温度は、当該プロジェクターの所定期間内の動作時における前記温度の最高値、であることを特徴とする、プロジェクター。
【請求項５】
請求項１から４のいずれか一項に記載のプロジェクターにおいて、
前記制御手段は、当該プロジェクターを電源オンした後の所定の時間内に、前記温度計測点において前記温度が前記最高温度を超えた場合に使用者に報知することを特徴とする、プロジェクター。
【請求項６】
請求項１から５のいずれか一項に記載のプロジェクターにおいて、
前記制御手段は、当該プロジェクターを電源オフする時に、前記温度計測点において前記温度が前記最高温度より大きい事象が発生したことを使用者に報知することを特徴とする、プロジェクター。
【請求項７】
請求項１から６のいずれか一項に記載のプロジェクターにおいて、
前記制御手段は、当該プロジェクターを電源オンする時に、前記温度計測点において前記温度が前記最高温度より大きい事象が、最後に動作したときに発生したことを使用者に報知することを特徴とする、プロジェクター。
【請求項８】
光源から射出された光を画像情報に応じて変調して投写面に投写する画像投写手段と、これらを収容する筐体と、
前記筐体の内部の温度計測点における最高温度を記憶する記憶手段と、備えたプロジェクターの制御方法であって、
前記温度計測点の温度を計測する温度計測ステップと、
当該プロジェクターが動作中に、前記温度計測点において前記温度が前記最高温度を超えた場合に使用者に報知する制御ステップと、を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
画像を投写するプロジェクターは、筐体内部の熱を冷却するために吸気ファン、排気ファンなどが搭載されている。しかし、プロジェクター動作時の周囲の温度が高かったり、吸排気口付近の異物などにより吸気ファン、排気ファンなどでは十分に冷却できなかったりして、筐体内部が所定の警告温度を超えた場合には、使用者に温度異常を警告し、さらに強制的に光源を消灯し、電源をオフする機能が備えられ使われている。
また、特許文献１には、動作中に内部温度上昇などの異常が発生した場合は、警告画面や異常発生記録機能により温度異常が発生したことを確認することができるプロジェクターが開示されている。このようなプロジェクターを使えば、温度異常が発生したときにユーザー（使用者）がそばにいなくても、後で温度異常発生を確認し対処することができる。
【先行技術文献】
【特許文献】
【０００３】
【特許文献１】特開平５−２５０７６４号公報
【発明の概要】
【発明が解決しようとする課題】
【０００４】
しかし、プロジェクターの筐体内部の温度が所定の警告温度を超え、温度異常が警告される状態（温度異常警告状態）には至らないまでも周辺環境の変化などにより、プロジェクター動作時の内部温度が通常の動作時よりも高くなっているような場合、警告されず、記録にも残らないので、温度異常警告状態が発生するまでに対処することができない虞があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調して投写面に投写する画像投写手段と、これらを収容する筐体を有するプロジェクターであって、前記筐体の内部の温度計測点の温度を計測する温度計測手段と、前記温度計測点において計測された所定の最高温度を記憶する記憶手段と、当該プロジェクターの動作を制御する制御手段と、を備え、前記制御手段は、当該プロジェクターが動作中に、前記温度計測点において前記温度が前記最高温度を超えた場合に使用者に報知する、ことを特徴とする。
【０００７】
本適用例によれば、プロジェクターの筐体内部の温度が最高温度を超えた場合に使用者に報知するので、使用環境の変化など温度上昇の要因を確認するよう使用者に促すことが可能となる。
【０００８】
［適用例２］上記適用例に記載のプロジェクターにおいて、前記最高温度は、当該プロジェクターが最後に動作したときの前記温度の最高値、であることを特徴とする。
【０００９】
本適用例によれば、プロジェクターの筐体内部の温度が最後に動作したときの最高温度を超えた場合に使用者に報知するので、前回、最後に使用したときと今回使用した時とで使用環境に違いがあるかなど温度上昇の要因を確認するよう使用者に促すことが可能となる。
【００１０】
［適用例３］上記適用例に記載のプロジェクターにおいて、前記最高温度は、当該プロジェクターの累積動作における前記温度の最高値、であることを特徴とする。
【００１１】
本適用例によれば、プロジェクターの筐体内部の温度が累積使用における最高温度を超えた場合に使用者に報知するので、筐体内部が過去の最高温度より高くなる状態が発生した場合に温度上昇の要因を確認するよう使用者に促すことが可能となる。
【００１２】
［適用例４］上記適用例に記載のプロジェクターにおいて、前記最高温度は、当該プロジェクターの所定期間内の動作時における前記温度の最高値、であることを特徴とする。
【００１３】
本適用例によれば、プロジェクターの筐体内部の温度が所定期間内の動作における最高温度を超えた場合に使用者に報知するので、最近の動作時と今回の動作時とで使用環境に違いがあるかなど温度上昇の要因を確認するよう使用者に促すことが可能となる。
【００１４】
［適用例５］上記適用例に記載のプロジェクターにおいて、前記制御手段は、当該プロジェクターを電源オンした後の所定の時間内に、前記温度計測点において前記温度が前記最高温度を超えた場合に使用者に報知することを特徴とする。
【００１５】
本適用例によれば、プロジェクターの筐体内部の温度が電源オンした後の所定時間内に最高温度を超えた場合に使用者に報知するので、短時間で温度が上昇し、最高温度を超えるような場合、温度異常警告が発生する前に温度上昇の要因を確認するよう使用者に促すことが可能となる。
【００１６】
［適用例６］上記適用例に記載のプロジェクターにおいて、前記制御手段は、当該プロジェクターを電源オフする時に、前記温度計測点において前記温度が前記最高温度より大きい事象が発生したことを使用者に報知することを特徴とする。
【００１７】
本適用例によれば、動作中にプロジェクターの筐体内部の温度が最高温度を超える事象が発生していたことを電源オフ時に使用者に報知する。これにより、デモンストレーション中など観衆が見ている動作中は報知せず、デモンストレーションの終了時にプロジェクターの電源をオフするときに管理者に報知し、温度上昇の要因を確認するよう促すことが可能となる。
【００１８】
［適用例７］上記適用例に記載のプロジェクターにおいて、前記制御手段は、当該プロジェクターを電源オンする時に、前記温度計測点において前記温度が前記最高温度より大きい事象が、最後に動作したときに発生したことを使用者に報知することを特徴とする。
【００１９】
本適用例によれば、動作中にプロジェクターの筐体内部の温度が最高温度を超える事象が発生していたことを次回電源オン時に使用者に報知する。これにより、デモンストレーション中など観衆が見ている動作中は報知せず、次回管理者が電源をオンし、デモンストレーションの準備するときに報知し、温度上昇の要因を確認するよう促すことが可能となる。
【００２０】
［適用例８］本適用例に係るプロジェクターの制御方法は、光源から射出された光を画像情報に応じて変調して投写面に投写する画像投写手段と、これらを収容する筐体と、前記筐体の内部の温度計測点における最高温度を記憶する記憶手段と、備えたプロジェクターの制御方法であって、前記温度計測点の温度を計測する温度計測ステップと、当該プロジェクターが動作中に、前記温度計測点において前記温度が前記最高温度を超えた場合に使用者に報知する制御ステップと、を有することを特徴とする。
【００２１】
本適用例によれば、プロジェクターの筐体内部の温度が最高温度を超えた場合に使用者に報知するので、使用環境の変化など温度上昇の要因を確認するよう使用者に促すことが可能となる。
【図面の簡単な説明】
【００２２】
【図１】プロジェクターの回路構成を示すブロック図。
【図２】第１実施形態におけるプロジェクターが電源オンするときの動作を示すフローチャート。
【図３】第１実施形態におけるプロジェクターが温度監視するときの動作を示すフローチャート。
【図４】第１実施形態におけるプロジェクターが電源オフするときの動作を示すフローチャート。
【図５】第２実施形態におけるプロジェクターが電源オンするときの動作を示すフローチャート。
【図６】第３実施形態におけるプロジェクターが電源オンするときの動作を示すフローチャート。
【図７】第３実施形態におけるプロジェクターの過去最高温度情報の内容を示す図。
【図８】プロジェクターの報知メッセージであり、（ａ）は電源オフ時の報知メッセージ、（ｂ）は電源オン時の報知メッセージ、（ｃ）は動作中の報知メッセージを示す。
【発明を実施するための形態】
【００２３】
以下、添付図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２４】
（第１実施形態）
図１は、本実施形態のプロジェクターの回路構成を示すブロック図である。
図１に示すように、プロジェクター１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、温度計測手段２６、電源端子３０、電源部３１等で構成されており、これらは図示しない筐体の内部、または外面に収容されている。
【００２５】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等の投写面に画像を表示する。
【００２６】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２７】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能となっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２８】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。また、制御手段２０は、時間を計時するタイマー２０１を備える。
【００２９】
記憶手段２１は、フラッシュメモリーやＦｅＲＡＭ（Ferroelectric RAM：強誘電体メモリー）等の書き換え可能な不揮発性のメモリーにより構成されている。プロジェクター１の動作を制御するための制御プログラムや、プロジェクター１の動作条件等を規定する各種設定データ、メニュー画像やメッセージ画像を表示するためのＯＳＤ画像データ等が記憶されている。
更に、本実施形態ではプロジェクター１が最後に（前回）動作したときの筐体内部の計測温度の最高値である最高温度２１０と、今回プロジェクター１を動作したときの筐体内部の計測温度の最高値である今回最高温度２１１と、プロジェクター１の動作中に、今回最高温度２１１が最高温度２１０を超えた場合にセットされる最高温度更新フラグ２１２と、が記憶されている。
【００３０】
入力操作手段２３は、プロジェクター１が、ユーザー（使用者）からの入力操作を受け付けるものである。入力操作手段２３は、図示は省略するが、ユーザーがプロジェクター１に対して各種指示を行うための複数の操作キーを備えており、プロジェクター１の筐体外面に備えられる本体キーで構成される。
入力操作手段２３が備える操作キーとしては、電源のオン・オフを交互に切り替えるための電源キーや、画像信号入力手段１８に入力される複数の画像入力端子６を切り替えるための入力切替キー、各種設定を行うための設定メニューを重畳表示させるメニューキー、メニューからユーザーが設定項目を選択するカーソルキー、決定キー、エスケープキー等がある。
【００３１】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３２】
画像信号入力手段１８は、複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７に出力される。
【００３３】
画像信号処理手段１７は、画像信号入力手段１８から入力される画像情報を、液晶ライトバルブ１２Ｒ、１２Ｇ、１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３４】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３５】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３６】
液晶駆動手段１４は、ＯＳＤ処理手段１６から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３７】
光源制御手段２２は、制御手段２０の指示に基づいて、光源１１に対する電力の供給と停止とを制御し、光源１１の点灯、及び消灯を切り替える。
【００３８】
温度計測手段２６は、図示しない筐体内部の所定の温度計測点の温度を計測し、制御手段２０に通知する。制御手段２０は温度計測手段２６によって測定された温度の最高値を記憶手段２１の今回最高温度２１１、および／または最高温度２１０に記録する。
【００３９】
電源部３１には、電源端子３０を介してＡＣ１００Ｖ等の電力が外部から供給される。電源部３１は、供給された電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４０】
次に、本実施形態のプロジェクター１の動作を、図２から図４のフローチャートを用いて説明する。
【００４１】
（電源オンするときの動作）
図２に示すように、プロジェクター１のスタンバイ中に入力操作手段２３の電源キー操作などにより電源オンすると（ステップＳ１０１）、ステップＳ１０２に遷移する。
【００４２】
ステップＳ１０２において制御手段２０は、最高温度更新フラグ２１２がセットされているか否かを調べる。最高温度更新フラグ２１２がセットされている場合（ステップＳ１０２：Ｙ）、ステップＳ１０３に遷移する。最高温度更新フラグ２１２がセットされていない場合、即ちクリアされている場合（ステップＳ１０２：Ｎ）、ステップＳ１０４に遷移する。
【００４３】
ステップＳ１０３において制御手段２０は、前回のプロジェクター１の動作中（使用時）に筐体内部の温度が最高温度２１０を超える事象が発生したことを示す報知メッセージＭ２を画像投写手段１０により投写させ、ステップＳ１０４に遷移する。このときの報知メッセージＭ２を図８（ｂ）に示す。なお、ステップＳ１０２からステップＳ１０３、および後述するステップＳ３０２からステップＳ３０３が制御ステップに相当する。
【００４４】
ステップＳ１０４において制御手段２０は、最高温度更新フラグ２１２をクリアし、ステップＳ１０５に遷移する。
【００４５】
ステップＳ１０５において制御手段２０は、今回最高温度２１１の値を最高温度２１０に書き込み、ステップＳ１０６に遷移する。
【００４６】
ステップＳ１０６において制御手段２０は、今回最高温度２１１の値をリセットし、ステップＳ１０７に遷移する。
【００４７】
ステップＳ１０７において制御手段２０は、温度監視動作を開始し、ステップＳ１０８に遷移する。温度監視動作は図３で示し後述するが、定期的にプロジェクター１の筐体内部の温度を監視するものである。
【００４８】
ステップＳ１０８において制御手段２０は、タイマー２０１による計時を開始し、ステップＳ１０９に遷移する。
【００４９】
ステップＳ１０９において本動作フローを終了する。
【００５０】
（温度監視するときの動作）
図３に示すように、温度監視動作が起動すると、（ステップＳ２０１）、制御手段２０は温度計測手段２６より温度計測点の温度を計測し（ステップＳ２０２）、ステップＳ２０３に遷移する。ステップＳ２０２が温度計測ステップに相当する。
【００５１】
ステップＳ２０３において制御手段２０は、ステップＳ２０２において計測した温度（温度計測値）が今回最高温度２１１より高いか否かを調べる。温度計測値が今回最高温度２１１より高い場合（ステップＳ２０３：Ｙ）、ステップＳ２０４に遷移する。温度が今回最高温度２１１より高くない場合（ステップＳ２０３：Ｎ）、ステップＳ２０９に遷移する。
【００５２】
ステップＳ２０４において制御手段２０は、ステップＳ２０２において計測した温度を今回最高温度２１１に更新保存し、ステップＳ２０５に遷移する。
【００５３】
ステップＳ２０５において制御手段２０は、今回最高温度２１１が最高温度２１０より高いか否かを調べる。今回最高温度２１１が最高温度２１０より高い場合（ステップＳ２０５：Ｙ）、ステップＳ２０６に遷移する。今回最高温度２１１が最高温度２１０より高くない場合（ステップＳ２０５：Ｎ）、ステップＳ２０９に遷移する。
【００５４】
ステップＳ２０６において制御手段２０は、最高温度更新フラグ２１２をセットし、ステップＳ２０７に遷移する。
【００５５】
ステップＳ２０７において制御手段２０は、タイマー２０１が所定の時間Ｔ１（例えば１０分）を経過しているか否かを調べる。タイマー２０１が時間Ｔ１を経過している場合（ステップＳ２０７：Ｙ）、ステップＳ２０９に遷移する。タイマー２０１が時間Ｔ１を経過していない場合（ステップＳ２０７：Ｎ）、ステップＳ２０８に遷移する。
【００５６】
ステップＳ２０８において制御手段２０は、筐体内部の温度が所定の時間Ｔ１以内に最高温度２１０を超えたことを示す報知メッセージＭ３を画像投写手段１０により投写し、ステップＳ２０９に遷移する。このときの報知メッセージＭ３を図８（ｃ）に示す。
【００５７】
ステップＳ２０９において本動作フローを終了する。
【００５８】
（電源オフするときの動作）
図４に示すように、プロジェクター１が入力操作手段２３の電源キー操作などにより電源オフ操作を検出すると（ステップＳ３０１）、ステップＳ３０２に遷移する。
【００５９】
ステップＳ３０２において制御手段２０は、最高温度更新フラグ２１２がセットされているか否かを調べる。最高温度更新フラグ２１２がセットされている場合（ステップＳ３０２：Ｙ）、ステップＳ３０３に遷移する。最高温度更新フラグ２１２がセットされていない場合、即ちクリアされている場合（ステップＳ３０２：Ｎ）、ステップＳ３０４に遷移する。
【００６０】
ステップＳ３０３において制御手段２０は、プロジェクター１の動作中に筐体内部の温度が最高温度２１０を超える事象が発生したことを示す報知メッセージＭ１を画像投写手段１０により投写させ、ステップＳ３０４に遷移する。このときの報知メッセージＭ１を図８（ａ）に示す。
【００６１】
ステップＳ３０４において制御手段２０は、プロジェクター１を電源オフしてスタンバイ状態に移行させ、本動作フローを終了する。
【００６２】
以上説明したように、本実施形態のプロジェクター１によれば、筐体内部の温度が最後に動作したときの最高温度２１０を超えた場合に使用者に報知するので、前回使用したときと今回使用した時とで使用環境に違いがあるかなど温度上昇の要因を確認するよう使用者に促すことが可能となる。
また、プロジェクター１の筐体内部の温度が所定時間Ｔ１内に最高温度２１０を超えた場合に使用者に報知するので、短時間で温度が上昇し、最高温度２１０を超えるような場合、温度異常警告が発生する前に温度上昇の要因を確認するよう使用者に促すことが可能となる。
また、プロジェクター１の動作中に、筐体内部の温度が最高温度２１０を超える事象が発生していたことを電源オフ時、または次回電源オン時に使用者に報知する。これにより、デモンストレーション中など観衆が見ている動作中は報知せず、デモンストレーションが終了してプロジェクター１の電源をオフするとき、また次回の電源オン時にデモンストレーションの準備をする際に管理者（使用者）に報知し、温度上昇の要因を確認するよう促すことが可能となる。
【００６３】
（第２実施形態）
第２実施形態について図面を用いて説明する。
本実施形態のブロック図は、第１実施形態の図１と共通であるので説明は省略する。本実施形態において最高温度２１０はプロジェクター１の累積動作における筐体内部の計測温度の最高値を示す。
本実施形態のプロジェクター１の動作を、図５を用いて説明する。
【００６４】
（電源オンするときの動作）
図５に示すように、プロジェクター１のスタンバイ中に入力操作手段２３の電源キー操作などにより電源オンすると（ステップＳ４０１）、ステップＳ４０２に遷移する。
【００６５】
ステップＳ４０２において制御手段２０は、最高温度更新フラグ２１２がセットされているか否かを調べる。最高温度更新フラグ２１２がセットされている場合（ステップＳ４０２：Ｙ）、ステップＳ４０３に遷移する。最高温度更新フラグ２１２がセットされていない場合、即ちクリアされている場合（ステップＳ４０２：Ｎ）、ステップＳ４０５に遷移する。
【００６６】
ステップＳ４０３において制御手段２０は、前回の動作中の筐体内部の温度が最高温度２１０を超える事象が発生したことを示す報知メッセージＭ２を画像投写手段１０により投写させ、ステップＳ４０４に遷移する。このときの報知メッセージＭ２を図８（ｂ）に示す。なお、ステップＳ４０２からステップＳ４０３が制御ステップに相当する。
【００６７】
ステップＳ４０４において制御手段２０は、今回最高温度２１１の値を最高温度２１０として更新し、ステップＳ４０５に遷移する。
【００６８】
ステップＳ４０５において制御手段２０は、最高温度更新フラグ２１２をクリアし、ステップＳ４０６に遷移する。
【００６９】
ステップＳ４０６において制御手段２０は、今回最高温度２１１の値をリセットし、ステップＳ４０７に遷移する。
【００７０】
ステップＳ４０７において制御手段２０は、温度監視動作を開始し、ステップＳ４０８に遷移する。温度監視動作は図３で示したように、定期的にプロジェクター１の筐体内部の温度を監視するものである。
【００７１】
ステップＳ４０８において制御手段２０は、タイマー２０１による計時を開始し、ステップＳ４０９に遷移する。
【００７２】
ステップＳ４０９において本動作フローを終了する。
【００７３】
なお、温度監視するときの動作、および電源をオフするときの動作は第１実施形態の図３、および図４と同じであるので説明は省略する。
【００７４】
以上説明したように、本実施形態のプロジェクター１によれば、プロジェクター１の筐体内部の温度が、累積使用における最高温度２１０を超えた場合に使用者に報知するので、筐体内部の温度が過去の最高温度２１０より高くなる状態が発生した場合に温度上昇の要因を確認するよう使用者に促すことが可能となる。
【００７５】
（第３実施形態）
第３実施形態について図面を用いて説明する。
ブロック図は第１実施形態の図１と共通であるので説明は省略する。本実施形態において最高温度２１０はプロジェクター１の所定期間内の動作における最高温度を示す。
【００７６】
所定期間内の動作における最高温度とは、プロジェクター１を、過去の所定の回数（本実施形態では１０回）使用（動作）時におけるそれぞれの最高温度の中の最も高い温度である。図示はしないが、記憶手段２１には、過去の動作時の最高温度を過去最高温度情報として記憶されている。
図７に過去最高温度情報の内容を示す。
図７（ａ）はプロジェクター１が動作開始する前の過去最高温度情報と、今回最高温度２１１、および最高温度２１０の内容である。この時点では、今回最高温度２１１には最後にプロジェクター１を動作させたときの最高温度である４１度が記憶されており、過去最高温度情報の１番目（Ｎｏ．１）にはその前の動作時の最高温度、以後１０回前までの動作時における最高温度がＮｏ．２〜Ｎｏ．１０として記憶されている。この中で最も温度の高い１０番目（Ｎｏ．１０）の４５度が最高温度２１０に記憶されている。
図７（ａ）の状態からプロジェクター１を起動すると、図７（ｂ）に遷移する。過去最高温度情報の格納内容はＮｏが１つシフトし、図７（ａ）において最も古い１０番目（Ｎｏ．１０）の４５度が削除され、最新の１番目（Ｎｏ．１）に直前の今回最高温度２１１の４１度が入る。最高温度２１０には過去最高温度情報の中で最も高い、４，６，９番目（Ｎｏ．４，６，９）の４３度が入る。また、今回最高温度２１１はリセットされ、０になる。
【００７７】
本実施形態のプロジェクターの動作を、図６を用いて説明する。
（電源オンするときの動作）
図６に示すように、プロジェクター１のスタンバイ中に入力操作手段２３の電源キー操作などにより電源オンすると（ステップＳ５０１）、ステップＳ５０２に遷移する。
【００７８】
ステップＳ５０２において制御手段２０は、最高温度更新フラグ２１２がセットされているか否かを調べる。最高温度更新フラグ２１２がセットされている場合（ステップＳ５０２：Ｙ）、ステップＳ５０３に遷移する。最高温度更新フラグ２１２がセットされていない場合、即ちクリアされている場合（ステップＳ５０２：Ｎ）、ステップＳ５０４に遷移する。
【００７９】
ステップＳ５０３において制御手段２０は、前回の動作中の筐体内部の温度が最高温度２１０を超える事象が発生したことを示す報知メッセージＭ２を画像投写手段１０により投写させ、ステップＳ５０４に遷移する。このときの報知メッセージＭ２を図８（ｂ）に示す。なお、ステップＳ５０２からステップＳ５０３が制御ステップに相当する。
【００８０】
ステップＳ５０４において制御手段２０は、最高温度更新フラグ２１２をクリアし、ステップＳ５０５に遷移する。
【００８１】
ステップＳ５０５において制御手段２０は、図７で説明したように過去最高温度情報を更新して最高温度２１０を設定し、ステップＳ５０６に遷移する。
【００８２】
ステップＳ５０６において制御手段２０は、今回最高温度２１１の値をリセットし、ステップＳ５０７に遷移する。
【００８３】
ステップＳ５０７において制御手段２０は、温度監視動作を開始し、ステップＳ５０８に遷移する。温度監視動作は図３で示したように、定期的にプロジェクター１の筐体内部の温度を監視するものである。
【００８４】
ステップＳ５０８において制御手段２０は、タイマー２０１による計時を開始し、ステップＳ５０９に遷移する。
【００８５】
ステップＳ５０９において本動作フローを終了する。
【００８６】
なお、温度監視するときの動作、および電源オフするときの動作は第１実施形態の図３、および図４と同じであるので説明は省略する。
【００８７】
以上説明したように、本実施形態のプロジェクター１によれば筐体の内部の温度が所定期間内の動作における最高温度を超えた場合に使用者に報知するので、最近の動作時と今回の動作時とで使用環境に違いがあるかなど温度上昇の要因を確認するよう使用者に促すことが可能となる。
【００８８】
また、上記実施形態は、以下のように変更してもよい。
（変形例１）
上記実施形態において、最高温度の種類を決めるモード設定手段を備え、最高温度２１０が、プロジェクター１が最後に動作したときの最高温度、プロジェクター１の累積使用における最高温度、またはプロジェクター１の所定期間内操作における最高温度、のいずれかを設定するようにしてもよい。これにより、使用者の使用状況に合わせ、報知ができるようになる。
【００８９】
（変形例２）
上記実施形態において、温度計測点における温度が、記憶されている最高温度を超えた場合の報知時期を決めるモード設定手段を備え、上記実施形態に記載されているような、電源オフ時、次回電源オン時、または動作中に温度計測点の温度が最高温度を超えた時点のいずれか一つまたは複数を選択して設定するようにしてもよい。これにより、使用者の使用状況に合わせ、報知ができるようになる。
【００９０】
（変形例３）
上記実施形態において、光源１１の輝度を設定する輝度設定手段を備え、筐体内部の温度が最高温度２１０を超える事象が発生した場合に低輝度に設定するようにしてもよい。これにより、高輝度で投写していて、筐体内部の温度上昇が発生した場合、光源１１を低輝度に設定することが可能となる。
【００９１】
（変形例４）
上記実施形態では、光源１１として光源ランプ１１ａを用いて投写するプロジェクター１を例示したが、本発明は、光源としてＬＥＤ（Light emitting diode）光源やレーザー光源などを用いて投写するプロジェクターにも適用することができる。なお、上記実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【符号の説明】
【００９２】
１…プロジェクター、１０…画像投写手段、１１…光源、１２Ｒ、１２Ｇ、１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０１…タイマー、２１…記憶手段、２１０…最高温度、２１１…今回最高温度、２１２…最高温度更新フラグ、２２…光源制御手段、２３…入力操作手段、２６…温度計測手段、３０…電源端子、３１…電源部。
【図１】
2014119473.tif 000003
【図２】
2014119473.tif 000004
【図３】
2014119473.tif 000005
【図４】
2014119473.tif 000006
【図５】
2014119473.tif 000007
【図６】
2014119473.tif 000008
【図７】
2014119473.tif 000009
【図８】
2014119473.tif 000010